(57)【特許請求の範囲】
【請求項１】
固定構造物に固定される固定台と、
前記固定台に回動可能に設置される座板部及び背板部と、
前記固定台に設置され、前記座板部が回動すると前記背板部と接触して衝撃を緩和するダンピング部と、を含み、
前記背板部は、外側に突出される接触部を具備し、
前記ダンピング部は、前記固定台に結合される結合部と、前記結合部から突出され、前記座板部が回動すると前記接触部との接触によって前記結合部の内部に挿入される緩和部と、を具備する、折り畳み式椅子。
【請求項２】
前記緩和部は、前記接触部と接触すると前記座板部又は前記背板部の回動速度を低減させる請求項１に記載の折り畳み式椅子。
【請求項３】
前記固定台は、前記ダンピング部が挿入されて締結されるようにする締結孔又は締結溝を具備する請求項１または２に記載の折り畳み式椅子。
【請求項４】
前記背板部及び前記固定台と回動可能に締結されて前記背板部と前記固定台の連結を媒介する連結部と、を更に含む請求項１から３の何れか１項に記載の折り畳み式椅子。
【請求項５】
前記連結部は、前記座板部が回動すると前記固定台の一部と接触して前記座板部を所定位置に固定させるストッパーを具備する請求項４に記載の折り畳み式椅子。
【請求項６】
前記ストッパーは、前記連結部から外側に向かって突出形成される請求項５に記載の折り畳み式椅子。
【請求項７】
前記固定台は外部に貫通される貫通部を具備し、
前記ストッパーはユーザの荷重を加圧すると前記貫通部を規定する一面に接触される請求項５または６に記載の折り畳み式椅子。
【請求項８】
前記固定台に結合されて前記ダンピング部を前記固定台に固定させるブラケットを更に含む請求項１から７の何れか１項に記載の折り畳み式椅子。
【発明の詳細な説明】
【技術分野】
【０００１】
本発明は折り畳み式椅子に関するものであり、より詳しくは、耐久性を向上させて寿命及び製造を増大させる折り畳み式椅子に関するものである。
【背景技術】
【０００２】
一般に、折り畳み式椅子はユーザが座っていると開かれてユーザの荷重を支持し、ユーザが立つと折り畳まれる形態の椅子を意味する。
【０００３】
このような折り畳み式椅子は多数の観衆を収容する競技場、劇場又は映画館などに設置され、観衆が椅子から立つと座板部が自動的に立てられて折り畳まれる。
【０００４】
ここで、ユーザの荷重の有無に応じて座板部が自動的に立てられる原理はばねの復元力又は背板部の自重によって具現されることが一般的であり、この場合前記座板部の高速回転によって部材間に衝突が発生する可能性がある。
【０００５】
言い換えると、ユーザが席から立つと座板部が折り畳まれ、前記座板部と背板部が互いに強くぶつかるのである。
【０００６】
この際、座板部と背板部の接触による衝撃消音が発生し、衝撃によって接触部分が磨耗する恐れがある。
【０００７】
一方、折り畳み式に椅子において前記のような座板部の折り畳みは幾度も繰り返し行われ、結局座板部と背板部の接触による衝撃によって折り畳み式椅子は耐久性が低下して寿命及び性能が著しく落ちるようになる。
【０００８】
よって、折り畳み式椅子において座板部が繰り返し折り畳まれても耐久性には影響を及ぼさないようにし、寿命及び性能を向上させる研究が至急である。
【発明の概要】
【発明が解決しようとする課題】
【０００９】
本発明の目的は、座板部が繰り返し折られる場合に衝撃を吸収すると同時に、前記座板部と背板部の接触を最小化して耐久性を向上させる折り畳み式椅子を提供することにある。
【課題を解決するための手段】
【００１０】
本発明の一実施例による折り畳み式椅子は、壁体に固定される固定台と、前記固定構造物に回動可能に設置される座板部及び背板部と、前記固定台に設置され、前記座板部が回動すると前記背板部と接触されて衝撃を緩和するダンピング部と、を含む。
【００１１】
本発明の一実施例による折り畳み式椅子の前記ダンピング部は、前記背板部と接触すると前記座板部又は前記背板部の回動速度を低減させる。
【００１２】
本発明の一実施例による折り畳み式椅子の前記ダンピング部は、前記固定台に結合される結合部及び前記結合部から突出されて前記背板部の接触によって前記結合部の内部に挿入される。
【００１３】
本発明の一実施例による折り畳み式椅子の前記固定台は、前記ダンピング部がを挿入し締結させる締結孔又は締結溝を具備する。
【００１４】
本発明の一実施例による折り畳み式椅子の前記背板部は、外側に突出されて前記座板部が回動すると前記ダンピング部と接触する接触部を具備する。
【００１５】
本発明の一実施例による折り畳み式椅子は、前記背板部及び前記固定台と回動可能に締結されて前記背板部と前記固定台の連結を媒介する連結部を更に含む。
【００１６】
本発明の一実施例による折り畳み式椅子の前記連結部は、前記座板部が回動すると前記固定台の一部と接触して前記座板部を所定位置に固定させるストッパーを具備する。
【００１７】
本発明の一実施例による折り畳み式椅子の前記ストッパーは、前記連結部から外側に向かって突出形成される。
【００１８】
本発明の一実施例による折り畳み式椅子の前記固定台は外部に貫通される貫通部を具備し、前記ストッパーはユーザが荷重を加圧すると前記貫通部を規定する一面に接触する。
【００１９】
本発明の一実施例による折り畳み式椅子は、前記固定台に結合されて前記ダンピング部を前記固定台に固定させるブラケットを更に含む。
【発明の効果】
【００２０】
本発明による折り畳み式椅子は、座板部が繰り返し折られる場合に衝撃を吸収すると共に座板部又は背板部の回動（回転）速度を低減させることができる。
【００２１】
また、座板部と背板部の接触を最小化するため耐久性を向上させて性能及び寿命を極大化することができる。
【図面の簡単な説明】
【００２２】
【図１】本発明の一実施例による折り畳み式椅子を示す概略斜視図である。
【図２】図１のＡに対する概略拡大斜視図である。
【図３】図１のＡに対する概略分解斜視図である。
【図４】本発明の一実施例による折り畳み式椅子の使用状態を示す概略側面図である。
【図５】本発明の一実施例による折り畳み式椅子の使用状態を示す概略側面図である。
【図６】本発明の一実施例による折り畳み式椅子の使用状態を示す概略側面図である。
【図７】本発明の一実施例による折り畳み式椅子の使用状態を示す概略側面図である。
【図８】図１のＡに対する第１変形例を示す概略分解斜視図である。
【図９】図１のＡに対する第２変形例を示す概略分解斜視図である。
【発明を実施するための形態】
【００２３】
本発明の一実施例による折り畳み式椅子は、壁体に固定される固定台と、前記固定構造物に回動可能に設置される座板部及び背板部と、前記固定台に設置され、前記座板部が回動すると前記背板部と接触されて衝撃を緩和するダンピング部と、を含む。
【００２４】
［発明を実施するための形態］
以下、図面を参照して本発明の具体的な実施例を詳細に説明する。但し、本発明の思想が提示される実施例に制限されることはなく、本発明の思想を理解する当業者は同じ思想の範囲内で他の実施例を追加、変更、削除するなどで退歩的な他の発明や本発明の思想の範囲内に含まれる他の実施例を容易に提案することができるが、それもまた本願発明の思想の範囲に含まれるといえる。
【００２５】
また、各実施例の図面に示した同じ思想の範囲内の機能が同じ構成要素に対しては同じ参照符号を使用して説明する。
【００２６】
図１は本発明の一実施例による折り畳み式椅子を示す概略斜視図であり、図２は図１のＡに対する概略拡大斜視図であり、図３は図１のＡに対する概略分解斜視図である。
【００２７】
図１から図３を参照すると、本発明の一実施例による折り畳み式椅子１０は、固定構造物（図示せず）に固定される固定台１００、前記固定台を基準に回動可能に設置される座板部２０と背板部３００及び衝撃を緩和するダンピング部４００を含む。
【００２８】
固定台１００は本発明の一実施例による折り畳み式椅子１０を固定構造物に固定させる構成要素であって、受け部１１０、支持部１２０、締結部１３０及び柱部１４０を含む。
【００２９】
前記受け部１１０は固定構造物である各種の底や壁面に結合され、少なくとも一つ以上が具備される。
【００３０】
ここで、前記受け部１１０と固定構造物との結合方法は、締結部材であるねじとボルトによる結合、ボンディング結合及び溶接結合のうち少なくとも一つの方法によって結合されるが、必ずしもそれに限ることはない。
【００３１】
一方、支持部１２０は前記受け部１１０とそれぞれ対応するように延長されて形成され、本発明の一実施例による折り畳み式椅子１０の高さを規定する。
【００３２】
即ち、支持部１２０は高さ調節ができるように前記受け部１１０に設置されてもよく、高さ調節のために公知の手段を全て適用してもよい。
【００３３】
一方、前記支持部１２０は締結部１３０によって互いに連結され、前記締結部１３０は前記支持部１２０と柱部１４０を互いに連結させる。
【００３４】
ここで、前記受け部１１０、前記支持部１２０及び前記締結部１３０は別途の部材で製造してから互いに結合させてもよいがそれに限ることはなく、製造の際から一体に形成されても構わない。
【００３５】
また、前記受け部１１０、前記支持部１２０及び前記締結部１３０は図１から図３に示した形状にこだわれず、当業者の意図に合わせて多様に変形可能であることを明らかにする。
【００３６】
一方、前記締結部１３０の両側にはそれぞれ柱部１４０が締結され、前記柱部１４０は座板部２００及び背板部３００の回動のための回動中心を提供する。
【００３７】
言い換えると、前記固定台１００の一構成である前記柱部１４０は前記座板部２００及び背板部３００と固定台１００の連結を媒介する連結部５００と締結される部分を基準に前記座板部２００及び前記背板部３００を回動可能にする。
【００３８】
ここで、前記座板部２００はユーザの荷重有無に応じて従属的に前記固定台１００を基準に反時計方向（Ｘ，図４を参照）又は時計方向（Ｙ，図４を参照）に回動される。
【００３９】
即ち、ユーザの荷重が座板部２００の上面に加えられる場合、座板部２００は背板部３００に対して大よそ垂直状態に開かれて設置状態になり、ユーザの荷重が除去される場合には前記座板部２００は自然に折られるようになる。
【００４０】
一方、ユーザの荷重が除去されて前記座板部２００が折られる場合には背板部３００も連動されて回動され、前記背板部３００の回動は前記背板部３００と固定台１００の柱部１４０との連結を媒介する連結部５００によって具現される。
【００４１】
即ち、前記連結部５００は一側及び他側がそれぞれ前記背板部３００及び前記固定台１００と締結されて前記背板部３００を回動可能にする。
【００４２】
ここで、前記連結部５００は外側に突出形成される少なくとも一つのストッパー５１０（図４から図７を参照）を具備し、前記ストッパー５１０は前記座板部２００が回動すると前記固定台１００の一部と接触して前記座板部２００を所定の位置に固定させる。
【００４３】
言い換えると、前記固定台１００の柱部１４０には外部に貫通される貫通部１４５が具備され、前記ストッパー５１０にはユーザの荷重が加圧されると前記貫通部１４５を規定する一面である上面に接触されて前記座板部２００を所定の位置に固定させるのである。
【００４４】
ここで、前記貫通部１４５は外観上の美のため密閉部６００によって覆われてもよく、前記密閉部６００は多様な材質で形成されてもよい。
【００４５】
一方、前記背板部３００の回動は前記背板部３００と柱部１４０の端部を連結する腕掛け部７００によって補助されてもよく、前記腕掛け部７００はユーザの荷重が加えられると大よそ座板部２００と並んで配置されてユーザの便宜性を向上させる。
【００４６】
ダンピング部４００は、ユーザの荷重が除去されて座板部２００が回動すると背板部３００と接触して衝撃を緩和させる構成要素であって、固定台１００の柱部１４０に設置される。
【００４７】
ここで、前記ダンピング部４００と前記固定台１００の柱部１４０との結合は、前記柱部１４０に形成された締結孔１４７に前記ダンピング部４００が挿入されて締結させることで具現される。
【００４８】
但し、前記ダンピング部４００は前記締結孔１４７に押し入れられて無理やり差し込まれて締結させてもよく、前記締結孔１４７に挿入されて接着剤によるボンディング結合が同時に行われて締結されてもよい。
【００４９】
詳しくは、前記ダンピング部４００は前記締結孔１４７に挿入されて結合される結合部４１０及び前記結合部４１０から突出されて前記製版部３００の接触によって前記結合部４１０の内部に挿入される緩和部４２０を具備する。
【００５０】
ここで、前記背板部３００と前記緩和部４２０の接触は前記背板部３００に具備される接触部３１０によって具現され、前記接触部３１０は前記背板部３００が折られるとダンピング部４００と対応する位置に形成される。
【００５１】
即ち、前記接触部３１０は背板部３００の角部分から外側に突出され、前記座板部２００及び前記背板部３００が回動すると前記ダンピング部４００の緩和部４２０に接触される。
【００５２】
一方、前記接触部３１０の接触による前記緩和部４２０の前記結合部４１０内部への挿入又はユーザの荷重による背板部３００及び座板部２００の回動の際、前記緩和部４２０の前記結合部４１０の外側への突出はばねなどによる弾性体又は油圧によって具現される。
【００５３】
しかし、前記緩和部４２０の作用はばねなどによる弾性体又は油圧式に限らず、当業者の意図に合わせて多様に変更される。
【００５４】
一方、前記緩和部４２０は背板部３００が接触すると前記背板部３００の衝撃を緩和して前記背板部３００又は前記座板部２００の回動速度を低減し、そのためユーザの荷重が除去されて座板部２００が回動する場合に前記座板部２００と前記背板部３００の接触を最小化する。
【００５５】
よって、前記座板部２００と前記背板部３００の接触を未然に防止して衝撃による磨耗又は衝撃消音を最小化し、結局耐久性を向上させて本発明の一実施例による折り畳み式椅子１０の性能及び寿命を極大化する。
【００５６】
図４から図７は、本発明の一実施例による折り畳み式椅子の使用状態を示す概略側面図である。
【００５７】
まず、図４を参照すると、本発明の一実施例による折り畳み式椅子１０は、ユーザの荷重が座板部２００の上面に加えられる場合、前記座板部２００と背板部３００は大よそ垂直の位置に配置される。
【００５８】
この際、前記座板部２００の固定は連結部５００に具備されるストッパー５１０が固定台１００と接触して具現され、詳しくは柱部１４０の貫通部１４５を規定する上面に接触されて前記座板部２００を所定の位置に安定的に固定させる。
【００５９】
ここで、ダンピング部４００の緩和部４２０は結合部４１０の外側に突出された状態を維持する。
【００６０】
図５及び図６を参照すると、ユーザの荷重が座板部２００から除去されると、前記座板部２００及び背板部３００は自動的にばねなどの復元力によって回動されて折り畳まれる。
【００６１】
ここで、自動的に前記座板部２００を復元させる復元力はばねなどによって提供されることに限らず、公知の手段を全て適用してもよい。
【００６２】
一方、前記座板部２００及び前記背板部３００のが回動すると前記座板部２００及び前記背板部３００は復元力によって高速に回動され、回動速度による慣性によって前記座板部２００と前記背板部３００が接触する可能性が存在する。
【００６３】
しかし、本発明の一実施例による折り畳み式椅子１０は背板部３００に具備される接触部３１０とダンピング部４００によって前記座板部３００と前記背板部３００の接触を未然に防止することができる。
【００６４】
図７を参照すると、ユーザの荷重が座板部２００から除去されると背板部３００及び座板部２００は回動され、結局互いに並んだ状態で折り畳まれる。
【００６５】
この場合、前記背板部３００の回動が完了される前に前記背板部３００に具備される接触部３１０はダンピング部４００の緩和部４２０に接触され、それによって前記背板部３００の回動速度が低減される。
【００６６】
即ち、前記接触部３１０と前記緩和部４２０の接触によって衝撃が緩和され、接触の後から前記背板部３００の回動速度が徐々に減少する。
【００６７】
よって、前記背板部３００及び前記座板部２００が高速に回動する場合であっても最後にはダンピング部４００によって最終的な回動速度が著しく減少し、結局背板部３００と座板部２００の接触が未然に防止されるのである。
【００６８】
よって、前記座板部２００と前記背板部３００の接触を未然に防止して衝撃による磨耗又は衝撃消音を最小化し、結局耐久性を向上させて本発明の一実施例による折り畳み式椅子１０の性能及び寿命を極大化する。
【００６９】
図８は、図１のＡに対する第１変形例を示す概略分解斜視図である。
【００７０】
図８を参照すると、ダンピング部４００は固定台１００の柱部１４０に形成された締結溝１４９に挿入されて締結される。
【００７１】
詳しくは、前記締結溝１４９はダンピング部４００の結合部４１０と対応するように形成され、多少の誤差を伴った状態で押し入れられて無理やり差し込まれる方式で締結されてもよい。
【００７２】
また、前記ダンピング部４００は前記締結溝１４９に挿入されて接着剤によるボンディング結合が同時に行われて締結されてもよい。
【００７３】
一方、固定台１００に形成される貫通部１４３が外観上の美のため密閉部６００（図１を参照）によって覆われてもよいことは上述したようである。
【００７４】
図９は、図１のＡに対する第２変形例を示す概略分解斜視図である。
【００７５】
図９を参照すると、ダンピング部４００は固定台１００に結合されるブラケット８００によって前記固定台１００に固定される。
【００７６】
詳しくは、前記ブラケット８００は中空を具備する本体部８１０及び前記本体部８１０の両側に突出される羽部８２０を含み、前記羽部８２０は固定台１００の柱部１４０に形成される貫通部１４１の内面とねじなどによる締結部材によって前記固定台１００に固定される。
【００７７】
ここで、前記羽部８２０は前記本体部８１０の長さと対応するように形成されてもよく、前記本体部８１０のある一方向に偏って形成されてもよい。
【００７８】
また、前記羽部８２０は多数個が互いに離隔されて形成されてもよい。
【００７９】
一方、前記ダンピング部４００の結合部４１０は前記本体部８１０の中空に挿入され、それによって前記ダンピング部４００は前記固定台１００に安定的に固定される。
【００８０】
前記では本発明による実施例を基準に本発明の構成と特徴を説明したが、本発明はそれに限らず、本発明の思想と範囲内で多様に変更又は変形が可能であるということは本発明の属する技術分野の当業者にとって明白なことであり、よってそのような変更又は変形は添付した特許請求の範囲に属することを明らかにする。
【図１】
0005830804.tif 000002
【図２】
0005830804.tif 000003
【図３】
0005830804.tif 000004
【図４】
0005830804.tif 000005
【図５】
0005830804.tif 000006
【図６】
0005830804.tif 000007
【図７】
0005830804.tif 000008
【図８】
0005830804.tif 000009
【図９】
0005830804.tif 000010